(57)【特許請求の範囲】
【請求項１】
静磁場を形成する永久磁石と、該静磁場と同方向の磁場勾配を形成する第１の勾配磁場コイルと、該第１の勾配磁場コイルに垂直で、互いに直交する第２と第３の勾配磁場コイルと、高周波磁場を形成する高周波（ＲＦ）コイル回路を高周波電磁シールドボックス内に含む高周波（ＲＦ）プローブによって、手全体を一度に撮像するのに必要十分な撮像領域を確保する小型磁気共鳴イメージング装置において、
撮像時における被験者の前腕と高周波的結合をし、かつ接地した局所高周波電磁シールドを施し、さらに前記ＲＦコイル回路に含まれるインピーダンスマッチング回路に直列にＬＣバラン回路を挿入し、該インピーダンスマッチング回路と該ＬＣバラン回路を、前記ＲＦプローブの高周波電磁シールドボックス内に配置することを特徴とする小型磁気共鳴イメージング装置。
【請求項２】
前記局所高周波電磁シールドが、導体板と絶縁体シートからなる局所高周波電磁シールド板によって形成されることを特徴とする請求項１に記載の小型磁気共鳴イメージング装置。
【請求項３】
前記ＬＣバラン回路が、前記ＲＦコイル回路に含まれるインピーダンスマッチング回路と一体的に同一基板上に実装されていることを特徴とする請求項１または２に記載の小型磁気共鳴イメージング装置。
【発明の詳細な説明】
【技術分野】
【０００１】
この発明は、小型磁気共鳴イメージング装置に関し、特に高周波電磁シールドルームを不要とする関節リウマチ診断用磁気共鳴イメージング装置（ＲＡ診断用ＭＲＩ装置）に関する。
【背景技術】
【０００２】
関節リウマチ(ＲＡ: Rheumatoid Arthritis)とは、原因不明の持続性の多発関節炎を特徴とし、軟骨や骨を破壊しつつ関節変形をきたす疾患で、国内の患者数は約７０万人と言われている。このＲＡによる関節破壊は、発症後２年以内に急速に進行することが解明され、ＲＡを早期に診断し、生物学的製剤などの新規薬剤を用いた治療を開始することが極めて有効であることが明らかとなってきた。
【０００３】
そして、ＲＡの早期診断には種々の血清マーカーに加え、手を対象としたＭＲＩ検査が有用であることが分かっており、現在は主として全身用ＭＲＩ（ＷＢ−ＭＲＩ：Whole Body MRI）装置を使用した検査が行われると共に、欧米では、すでに設備費、撮像料等に有利な小型ＭＲＩを使用した早期ＲＡ診断が普及しつつある。
【０００４】
また、ＭＲＩ装置においては、外部からの高周波電磁ノイズが、高周波（ＲＦ）プローブにおいて受信されてＮＭＲ信号に混入することによりＭＲ画像に現れるノイズを防ぐために、図１１に示すように、下記特許文献１（図１１（Ａ））、特許文献２（図１１（Ｂ））に記載されているようなＭＲＩ装置全体を収容する高周波電磁シールドルームや、下記特許文献３に記載されるような被検者の全身および作業室全体を覆う高周波電磁シールド（不図示）が使用されている。
【特許文献１】United States Patent 6,255,823
【特許文献２】United States Patent 6,882,547
【特許文献３】United States Patent 4,613,820
【発明の開示】
【発明が解決しようとする課題】
【０００５】
しかしながら、現在使用されている全身用ＭＲＩ装置は、脳・心肺・腹部の撮像等に最適化されており、ＲＡの早期診断のための手の撮像に全身用ＭＲＩ装置を使用することは、広い設置スペースを必要とする高価な装置による高額の撮像料や、長い撮像時間とそれに伴う撮像時間枠の確保の困難性や、撮像時に患者に無理な姿勢を要求する等の問題がある。
【０００６】
また、欧米で使用されている四肢用の小型のＭＲＩ装置は、撮像領域が小さいため、手全体の撮像を行うためには複数回の撮像に分けなければならず、検査時間が長くなり、読影の効率の点でも問題があった。
【０００７】
また、上記特許文献に記載されているような高周波電磁シールドルーム等は、ＭＲＩ装置に対する広い設置スペースを必要とし、高価であり、またしばしば開放性に欠けるため、小型のＭＲＩ装置においては、高周波電磁シールドルーム等を必要としない方式が望まれていた。
【０００８】
本発明は、係る問題点に鑑みて鋭意研究を重ねてなされたものであり、高周波電磁シールドルームを不要とし、手全体を撮像対象とした小型・安価であり、かつ開放的な空間で被検者の姿勢に自由度が大きく楽な姿勢で、手全体を一度に短時間で撮像し、読影することのできるＭＲＩ装置の提供を目的とするものである。
【課題を解決するための手段】
【００１０】
第１の発明は、静磁場を形成する永久磁石と、該静磁場と同方向の磁場勾配を形成する第１の勾配磁場コイルと、該第１の勾配磁場コイルに垂直で、互いに直交する第２と第３の勾配磁場コイルと、高周波磁場を形成する高周波（ＲＦ）コイル回路を高周波電磁シールドボックス内に含む高周波（ＲＦ）プローブによって、手全体を一度に撮像するのに必要十分な撮像領域を確保する小型磁気共鳴イメージング装置において、撮像時における被験者の前腕と高周波的結合をし、かつ接地した局所高周波電磁シールドを施し、さらに前記ＲＦコイル回路に含まれるインピーダンスマッチング回路に直列にＬＣバラン回路を挿入し、該インピーダンスマッチング回路と該ＬＣバラン回路を、前記ＲＦプローブの高周波電磁シールドボックス内に配置することを特徴とする小型磁気共鳴イメージング装置である。この場合、インピーダンスマッチング回路とＬＣバラン回路は、ＲＦプローブの高周波電磁シールドボックス内に配置するのが、スペース効率が良く、高周波電磁シールドにも有効である。
【００１１】
第２の発明は、第１の発明において、前記局所高周波電磁シールドが、導体板と絶縁体シートからなる局所高周波電磁シールド板によって形成されることを特徴とする小型磁気共鳴イメージング装置ある。 
【００１２】
第３の発明は、第１または第２の発明において、前記ＬＣバラン回路が、前記ＲＦコイル回路に含まれるインピーダンスマッチング回路と一体的に同一基板上に実装されていることを特徴とする小型磁気共鳴イメージング装置である。
【発明の効果】
【００１３】
第１の発明によれば、撮像時における被験者の前腕と高周波的結合をし、かつ接地した局所高周波電磁シールドを施すことによって、高周波電磁シールドルームを不要とする小型磁気共鳴イメージング装置であるから、従来より狭いスペースにＭＲＩ装置の設置が可能となり、小型・安価であり、かつ開放的な空間で被検者の姿勢に自由度が大きく楽な姿勢で、手全体を一度に、短時間で撮像し、読影することができるという効果が得られる。
特に、不特定な手の関節に発生するＲＡに係る撮像を安価かつ容易にして、ＲＡの早期診断・早期治療に有効である。
【００１４】
第２の発明によれば、第１の発明に加えて、さらに前記ＲＦコイル回路に含まれるインピーダンスマッチング回路に直列にＬＣバラン回路を挿入し、該インピーダンスマッチング回路と該ＬＣバラン回路を、前記ＲＦプローブの高周波電磁シールドボックス内に配置されたものであり、高周波電磁シールドルームの廃止をより確実なものとすることができる。
【００１５】
第３の発明によれば、第１または第２の発明において、前記局所高周波電磁シールドが、導体板と絶縁体シートからなる局所高周波電磁シールド板によって形成されるものであり、第４の発明によれば、第２または第３の発明において、前記ＬＣバラン回路が、前記ＲＦコイル回路に含まれるインピーダンスマッチング回路と一体的に同一基板上に実装されているから、簡便かつより確実に、それぞれの発明の効果を得ることができる。
【発明を実施するための最良の形態】
【００１６】
以下、本発明の実施の形態を図面に基づいて説明する。図１は、本発明の実施の形態に係るＭＲＩ装置のブロック図であり、ＭＲＩ装置の構成概要は、システム全体１を制御し、ＮＭＲ（Ｎuclear Ｍagnetic Ｒesonance）信号を収集し、画像再構成・表示等を行うコンピュータ（ＰＣ）１０、核スピン系を励起する高周波（ＲＦ）信号を作り、また受信したＮＭＲ信号を増幅・検波する高周波信号ユニット部（送受信部）３０、勾配磁場コイル（以下「勾配コイル」という。）４３〜４５をドライブする勾配磁場電源部５０、核スピン系を励起するパワーアンプ（高周波送信機）６０、均一な静磁場を発生して核磁化を作り出す永久磁石（以下「磁石」という。）４１、勾配磁場を作る勾配コイル４３〜４５、と核スピン系に高周波を与え、信号を受信するＲＦコイル４２１からなっている。
【００１７】
図２は、本発明の実施の形態に係るＭＲＩ装置の架台部の説明図であり、（Ａ）は正面視断面図、（Ｂ）は左側面視断面図である。図２において磁石４１は通常Ｆe-Ｎd-Ｂ系の磁石材料で構成されている。４１１はヨークを構成する左右方向の上下２本の横要素、４１２はヨークを構成する縦要素であり、ヨークはコラム型永久磁石磁気回路を形成し磁束を磁気回路内に閉じ込める機能を有している。４１３はヨークの２本の横要素４１１の内面側に形成されたポールピースである。ポールピース４１３は静磁場の均一度を高めるためにその周辺に、突起状のローズシムを有し、また表面に局所的に静磁場の不均一性を補正するための多数の磁性体の小片からなるパッシブシムを有している。勾配コイル４３〜４５はポールピース４１３の内面側に取付けられ、上下のポールピース４１３の間にＲＦプローブ４２が取付けられている。
【００１８】
局所高周波電磁シールド板４９は、銅板等の導体板４９１と、その表面を被覆した絶縁体シート４９２で形成されている。局所高周波電磁シールド板４９は、基材４９３の上面の１端側に敷設され、基材４９３の他端側に、銅箔等が貼着され、かつ接地して、高周波電磁シールドがなされた高周波電磁シールドボックス４２５が着座している。局所高周波電磁シールド板４９は、高周波電磁シールドボックス４２５と接合するように基材４９３上に敷設されている。
【００１９】
局所高周波電磁シールド板４９を形成する導体板４９１の表面を被覆する絶縁体シート４９２は、銅板等の導体板が直接人体に接触するのを避けるためのものである。
【００２０】
図２（Ｂ）の４２３は、後述のインピーダンスマッチング回路とＬＣバラン回路を一体的に実装し、ＲＦプローブ４２のボックス内、即ち高周波電磁シールドボックス４２５内の縦壁に取付けた回路基板である。
【００２１】
インピーダンスマッチング回路とＬＣバラン回路を同一基板上に一体的に実装して、高周波電磁シールドボックス４２５内に配置することは、スペース効率および高周波電磁シールド効果を高める点で有効である。また、ＲＦプローブ４２の格納ボックスの外表面に銅箔等の導体箔を貼着して高周波電磁シールドボックス４２５とすることは、高周波電磁シールドルームを不要とするために必須である。
【００２２】
被検者は、撮像された画像の標準化や読影が容易な画像を取得するため、手の平および指を真直ぐ伸ばして、副え板４７に副わせ、その上からカバー４８を被せてＲＦプローブの開口４２２から、左または右の手全体を挿入して撮像を受ける。
【００２３】
図３は本発明の実施の形態に係るＲＦコイル回路とＬＣバラン回路の回路図である。図３の右側がＲＦコイル回路４２１であり、コイルの同調をとるチューニングキャパシタ（Ｃｔ１、ＶＣｔ１）と、特性インピーダンスとのマッチングをとるマッチングキャパシタ（ＶＣｍ１、ＶＣｍ２）からなり、ＲＦコイルはチューニングキャパシタとほぼ同じ容量の固定キャパシタ（Ｃｔ）で分割され、被写体とのカップリングを抑制している。
【００２４】
図３の左側がＬＣバラン回路であり、コンデンサ（Ｃｂ）とコイル（Ｌｂ）を挿入したブリッジ回路である。ＲＦコイル回路に含まれるインピーダンスマッチング回路に直列にＬＣバラン回路が挿入され、ＬＣバラン回路は接地され、高周波電磁シールドボックス４２５も接地されている。
【００２５】
ＲＦコイルが、高周波電磁シールドボックス４２５内に格納され、外来電波からシールドされていること、被検者の前腕部が、局所高周波電磁シールド板４９によって、高周波的に接地されていること、ＲＦコイル回路４２１の中心点が、ＬＣバラン回路４２４によって接地と同電位になっていることによって、高周波電磁シールドルームを不要にすることができる。
【００２６】
本発明の実施の形態においては、解剖学的な情報を得るためのＴ１強調画像の撮像シーケンスとして、３Ｄ-勾配エコー法を採用し、病変を検出する脂肪抑制Ｔ２強調画像の撮像シーケンスとしてＳＴＩＲ−３ＤＦＳＥ法を採用しているが、撮像シーケンスはこれに限定されるものではない。
【００２７】
図８は、本発明の実施の形態に係る３Ｄ-勾配エコー法のシーケンスの説明図であり、図９は、本発明の実施の形態に係るＳＴＩＲ−３ＤＦＳＥ法のシーケンスの説明図である。
【００２８】
本実施の形態に係るＭＲＩ装置の動作の手順は、先ず被写体となる手Ｒを磁石４１の中に設置されたＲＦプローブ４２の開口４２２中に入れ、ＰＣ１０の撮像プログラムを起動する。撮像プログラムは、キーボード（不図示）から入力された撮像パラメータに従って、撮像パルスシーケンスを起動すると同時に、データ収集プログラムを起動する。
【００２９】
パルスシーケンスは、ＤＳＰ（パルス発生器）１４から、正確なタイミング信号として出力され、ＤＡＣ（ＤＡ変換器）１２に送られ、ＤＡＣ１２でアナログ化され、ＲＦパルス波形がＬＰＦ（ローパスフィルタ）３３とアンプ３５を経て高周波変調器３１へ供給され、一方勾配磁場電流の波形が勾配磁場電源部５０の３つの電流増幅器５１〜５３へ供給される。高周波変調器３１では、シンセサイザ１３から定常的に出力されるラーモア周波数の参照信号とパルス波形が混合され、ＲＦパルスが出力される。ＲＦパルスはＶＧＡ３６を経て、パワ−アンプ（高周波送信機）６０へと入力され、ＲＦコイル４２に高周波磁場を発生するための電力増幅が行われた後、切替器７０を介してＲＦコイルに供給される。勾配磁場電源部５０の電流増幅器５１〜５３は、信号波形に比例した定電流パルスを勾配コイル４３〜４５へ供給する。
【００３０】
ＲＦパルスによって励起された被写体である手Ｒ中の核スピンは、ＲＦコイルにＮＭＲ信号を誘起し、切替器７０を介してプリアンプ８０に送られ、プリアンプ８０で増幅され、さらにＶＧＡ３７を経て、検波器３２において回転系のＮＭＲ信号が得られる。    
【００３１】
この検波された信号は、アンプ３８、ＬＰＦ３４を経てＡＤＣ（ＡＤ変換器）１１に送られ、ＡＤＣ１１にてデジタル化され、ＰＣ１０のメモリ（不図示）上に一時的に格納される。そして、画像再構成に必要なデータ収集が終わった後に、画像再構成プログラムによって、画像ディスプレイ２０上に再構成画像が表示される。
【００３２】
なお、測定時のＲＦパルスの送信ゲインや、ＮＭＲ信号の受信ゲインは、ＵＳＢ Ｉ/Ｆ(インターフェイス)３５を通してＰＣ１０から送受信部３０に指示が出され、送受信部３０に内蔵されているＣＰＵによってＶＧＡ３６、３７に送信され、ＶＧＡで所定のゲインに増幅される。
【実施例】
【００３３】
次に実施例により、本発明について、より詳細に説明する。本実施例に用いたＭＲＩ装置は本発明の実施の形態で説明したところおよび図面に基き、その各構成要素の主要諸元は次の通りである。
【００３４】
（永久磁石 ４１）
・メーカ：日立金属（株）
・永久磁石材：Ｆe-Ｎd-Ｂ系
・寸法：
幅×高さ×奥行き＝４６０ｍｍ×７８０ｍｍ×４４０ｍｍ
・静磁場強度：０.３Ｔ
・磁極間ギャップ：１３ｃｍ
・磁場の均一度：
回転楕円体領域（２２ｃｍ×２２ｃｍ×８ｃｍ）内で５０ｐｐｍ
（勾配コイル ４３〜４５）
・巻き線方式：
ｘ、ｙ軸方向の勾配コイル・・・ターゲットフィールド法
ｚ軸方向の勾配コイル・・・遺伝的アルゴリズム
・巻き線数：
ｘ、ｙ軸方向の勾配コイル・・・２５ターン、
ｚ軸方向の勾配コイル・・・３２ターン
・勾配磁場均一領域：回転楕円体（長軸２０ｃｍ×短軸６ｃｍ）
・コイルの巻き枠：
材質・・・ベークライト板（厚さ２.７ｍｍ）
加工法・・・ＣＡＤデータを元にＮＣフライスで巻き線パターンを座板にミリング
コイル間隔・・・１２ｃｍ
電流面直径・・・４０ｃｍ以下
・巻き線：
直径×材質＝１.０ｍｍ×銅線（ポリエチレン被覆付き）
求めた巻き線分布からビオ・サバールの法則で3次元磁場解析を行い、次の式１による勾配磁場均一領域を１０％以内としている。
【００３５】
【数１】
0004248588.tif 000002
【００３６】
（ＲＦプローブ ４２）
・ＲＦコイル回路 ４２１
・コイル
幅×厚さ×材質×ターン数＝１０ｍｍ×０.１ｍｍ×銅箔×長円形型（短軸６.５ｍｍ×長軸１２.５ｃｍ）１４ターン
・キャパシタ
Ｃｔ＝１００ｐＦ×３個、Ｃｔ１＝１００ｐＦ、ＶＣｔ１＝２〜４０ｐＦ、
ＶＣｍ１＝２〜４０ｐＦ、Ｖｃｍ２＝２〜４０ｐＦ
・ＬＣバラン回路 ４２４
・コイル
Ｌｂ＝０.６２３μＨ×２個
・コンデンサ
Ｃｂ＝２４９ｐＦ×２個
・高周波電磁シールドボックス ４２５・・・樹脂板製、銅箔貼着
（局所高周波電磁シールド板 ４９）
・導体板 ４９１・・・銅板、厚さ１ｍｍ
・絶縁体シート ４９２・・・ＦＲＰシート、厚さ０.５ｍｍ
・局所高周波電磁シールド板の基材 ４９３・・・樹脂板、厚さ１０ｍｍ
【００３７】
[局所高周波電磁シールド性能の評価]
人工雑音として、磁石の開口面から２ｍ離れた高さ５９ｃｍの位置に、直径２ｃｍのループコイルを設置し、信号発生器(ANRITSU、MG3641A)からループコイルへ１２.５７８７９９０MＨz、１６dＢmの高周波を供給し、健常被験者がＲＦプローブ内に手を入れた状態で、局所高周波電磁シールド板とＬＣバラン回路の組み合わせを変えて、外乱雑音電力の周波数特性測定を行い、高周波送受信機の受信ゲインを最大に設定し、高周波電力増幅器ＯFFの状態で、ＮＭＲ信号を発生させずに残留雑音成分のみの測定を行い、収集データに対して、高速フーリエ変換による周波数分析を行った。
【００３８】
図６にＬＣバラン回路と局所高周波電磁シールド板の組み合わせを変えたときの残留雑音電力の周波数特性の測定結果を示している。図６から、局所高周波電磁シールド板を用いることによって平均で-１７.７dＢのシールド効果があり、更にＬＣバラン回路を併用することによって-２２.９dＢのシールド効果が得られた。このように，局所シールド対策を施すことによってシールドルーム無しで良好な信号対雑音比(ＳＮＲ)で画像取得が可能である。
【００３９】
[健常被検者の撮像]
図８は、健常被験者(５３歳男性)の下記の３Ｄ-ＧＲＥ法によるＴ1強調画像の撮像画像を示し、（Ａ）〜（Ｄ）に従って手背側にスライス位置が変化した画像を示している。このＴ1強調画像により、従来の全身用ＭＲＩ装置と同様の遠位指節間関節から手根骨までの各関節の位置、靱帯の付着部、軟骨など手全体の形態情報を確認することができた。      ＊３Ｄ−勾配エコー法、Ｔ１強調シーケンス
パルス系列の繰り返し時間 ＴＲ＝３５ｍｓ
エコー時間 ＴＥ＝５.５ｍｓ
フリップ角 ＦＡ＝６０°
Voxel Size・・・０.４ｍｍ×０.８ｍｍ×１.6ｍｍ
画素数・・・５１２×１９２×３２（フーリエ補間後５１２×５１２×１６）
励起回数 ＮＥＸ＝２
撮像時間・・・７分１０秒        
【００４０】
図９に同一被験者の下記のＳＴＩＲ-3ＤＦＳＥ法よる脂肪抑制Ｔ2強調画像の撮像画像を示し、（Ａ）〜（Ｄ）に従って手背側にスライス位置が変化した画像を示している。この脂肪抑制Ｔ2強調画画像により、従来の全身用ＭＲＩ装置と同様の骨髄や皮下脂肪の信号が抑制された滑液、静脈血など脂肪信号が抑制されＴ2の比較的長い成分が顕著な高信号領域として確認された。
＊ＳＴＩＲ−３ＤＦＳＥ法、脂肪抑制Ｔ２強調シーケンス
パルス系列の繰り返し時間 ＴＲ=１０００ｍｓ
反転時間 ＴＩ=１００ｍｓ
有効エコー時間 ＴＥeff＝６０ｍｓ
エコー数 ＥＴＬ＝１２
Ｖoxel Ｓize ・・・ 0.８ｍｍ×０.8ｍｍ×１.６ｍｍ
画素数・・・２５６×３８４×１６
撮像時間・・・８分３０秒
【００４１】
なお、図７は、局所高周波電磁シールド対策なしのＭＲＩ装置の撮像画像であるが、各関節の位置、靱帯の付着部、軟骨などの撮像部位の形態情報を全く確認できなかった。
【００４２】
局部高周波電磁シールド対策を行った本実施例によれば、-２２.９ dＢのシールド効果が得られ、高周波電磁シールドルームが不要でＭＲＩ装置が小型となることから、従来より狭いスペースにＭＲＩ装置の設置が可能となり、小型・安価であり、かつ開放的な空間で被検者の姿勢に自由度が大きく楽な姿勢で、手全体を一度に短時間で撮像し、読影することができた。
【図面の簡単な説明】
【００４３】
【図１】本発明の実施の形態に係るＭＲＩ装置のブロック図である。
【図２】本発明の実施の形態に係るＭＲＩ装置の架台部の説明図であり、（Ａ）は正面視断面図、（Ｂ）は左側面視断面図である。
【図３】本発明の実施の形態に係るＲＦコイル回路とＬＣバラン回路の回路図である。
【図４】本発明の実施の形態に係る３Ｄ-勾配エコー法のシーケンスの説明図である。
【図５】本発明の実施の形態に係るＳＴＩＲ−３ＤＦＳＥ法のシーケンスの説明図である。
【図６】ＬＣバラン回路と局所高周波電磁シールド板の組み合わせを変えたときの残留雑音電力の周波数特性である。
【図７】局所高周波電磁シールド対策なしのＭＲＩ装置の撮像画像である。
【図８】本発明の実施例に係る３Ｄ-勾配エコー法で撮像した、ＲＡ患者の手の撮像画像である。
【図９】本発明の実施例に係るＳＴＩＲ−３ＤＦＳＥ法で撮像した、ＲＡ患者の手の撮像画像である。
【図１０】従来例に係る高周波電磁シールドルームであり、（Ａ）は特許文献１に記載されているもの、（Ｂ）は特許文献２に記載されているものである。
【符号の説明】
【００４４】
１・・ＭＲＩ装置
１０・・ＰＣ（コンピュータ）
１１・・ＡＤＣ
１２・・ＤＡＣ
１３・・シンセサイザ
１４・・ＤＳＰ
１５・・ＵＳＢ Ｉ/Ｆ
２０・・画像ディスプレイ
３０・高周波信号ユニット部（送受信部）
３１・・変調器
３２・・検波器
３３・・ＬＰＦ（ローパスフィルタ）
３４・・ＬＰＦ（ローパスフィルタ）
３５・・アンプ
３６・・ＶＧＡ
３７・・ＶＧＡ
３８・・アンプ
３９・・切替器
４０・・架台部
４１・・磁石（永久磁石）
４１１・・ヨーク（横要素）
４１２・・ヨーク（縦要素）
４１３・・ポールピース
４２・・ＲＦプローブ
４２１・・ＲＦコイル回路  
４２２・・開口
４２３・・回路基板  
４２４・・ＬＣバラン回路
４２５・・高周波電磁シールドボックス
４３・・勾配コイル（ｘ軸方向）
４４・・勾配コイル（ｙ軸方向）
４５・・勾配コイル（ｚ軸方向）
４６・・台座
４７・・副え板
４８・・カバー（手袋）
４９・・局所高周波電磁シールド板  
４９１・・導体板
４９２・・絶縁体シート
４９３・・局所高周波電磁シールド板の基材
５０・・勾配磁場電源部
５１・・勾配アンプ（ｘ軸方向）
５２・・勾配アンプ（ｙ軸方向）
５３・・勾配アンプ（ｚ軸方向）
６０・・パワアンプ（高周波送信機）
７０・・切替器（切替回路）
８０・・プリアンプ
Ｒ・・手
【要約】
【課題】高周波電磁シールドルームが不要で、手全体を一度に撮像できる小型磁気共鳴イメージング装置。
【解決手段】静磁場を形成する永久磁石４１と、該静磁場と同方向の磁場勾配を形成する第１の勾配磁場コイル４３と、該第１の勾配磁場コイルに垂直で、互いに直交する第２と第３の勾配磁場コイル４４、４５と、高周波磁場を形成するＲＦ（高周波）コイルを高周波電磁シールドボックス内に含むＲＦプローブ４２とからなる手全体を一度に撮像するのに必要十分な撮像領域を確保する小型磁気共鳴イメージング装置おいて、導体板と絶縁体シートからなる電磁シールド部４９２を有する局所高周波電磁シールド板４９を被検者の前腕部に施し、高周波電磁シールドボックス４２５内に、ＲＦコイル回路４２１のインピーダンスマッチング回路と直列に挿入されるＬＣバラン回路４２４を格納することによって、高周波電磁シールドルームを不要にする。
【選択図】図２【図１】
0004248588.tif 000003
【図２】
0004248588.tif 000004
【図３】
0004248588.tif 000005
【図４】
0004248588.tif 000006
【図５】
0004248588.tif 000007
【図６】
0004248588.tif 000008
【図７】
0004248588.tif 000009
【図８】
0004248588.tif 000010
【図９】
0004248588.tif 000011
【図１０】
0004248588.tif 000012